(57)【要約】  本発明は、充電管理方法、充電管理装置、プログラム、及び記録媒体を開示し、電子回路の技術分野に属する。前記方法は、充電中に目標充電電流値と実際充電電流値を取得するステップと、前記目標充電電流値と前記実際充電電流値に基づいて消費電流値を算出するステップと、前記消費電流値の大きさに基づいて、前記目標充電電流値を調整するステップとを含む。本発明は、移動端末が充電中に多くの熱を発するという問題を解決し、消費電流値の大きさに応じて動的に目標充電電流値を調整して、移動端末の発熱量も消費電流値の大きさに応じて変化させるという効果を達成する。【選択図】  図１
2017509308.tif 000002
【特許請求の範囲】
【請求項１】
充電中に、現在の充電のために設定された希望充電電流値である目標充電電流値と、実際充電電流値を取得するステップと、
前記目標充電電流値と前記実際充電電流値に基づいて消費電流値を算出するステップと、
前記消費電流値の大きさに基づいて、前記目標充電電流値を調整するステップと、
を含むことを特徴とする充電管理方法。
【請求項２】
前記消費電流値の大きさに基づいて、前記目標充電電流値を調整するステップは、
前記消費電流値に基づいて、少なくとも一つの消費電流値区間と各前記消費電流値区間に対応する目標充電電流値を含む予め設定された対応関係を照会することにより、前記消費電流値に対応する前記目標充電電流値を取得するステップを含むことを特徴とする請求項１に記載の充電管理方法。
【請求項３】
前記消費電流値に基づいて、予め設定された対応関係を照会することにより、前記消費電流値に対応する前記目標充電電流値を取得するステップは、
ユーザにより使用されている状態にある場合、前記消費電流値に基づいて、少なくとも一つの消費電流値区間と各前記消費電流値区間に対応する目標充電電流値を含む第１の対応関係を照会することにより、前記消費電流値に対応する前記目標充電電流値を取得するステップと、
ユーザにより使用されていない状態にある場合、前記消費電流値に基づいて、少なくとも一つの消費電流値区間と各前記消費電流値区間に対応する目標充電電流値を含む第２の対応関係を照会することにより、前記消費電流値に対応する前記目標充電電流値を取得するステップと、
を含み、
同じ消費電流値について、前記第１の対応関係における対応する目標充電電流値は、前記第２の対応関係における対応する目標充電電流値以下であることを特徴とする請求項２に記載の充電管理方法。
【請求項４】
スクリーンが動作状態にあるか否かを検出するステップをさらに含み、
前記スクリーンが動作状態にある場合、現在ユーザにより使用されている状態にあると特定し、前記消費電流値に基づいて第１の対応関係を照会することにより、前記消費電流値に対応する前記目標充電電流値を取得するステップを実行し、
前記スクリーンがオフ状態にある場合、現在ユーザにより使用されていない状態にあると特定し、前記消費電流値に基づいて第２の対応関係を照会することにより、前記消費電流値に対応する前記目標充電電流値を取得するステップを実行することを特徴とする請求項３に記載の充電管理方法。
【請求項５】
前記目標充電電流値と前記実際充電電流値に基づいて消費電流値を算出するステップは、
同一のサンプリング時点にサンプリングした前記目標充電電流値と前記実際充電電流値の差を算出するステップと、
少なくとも１つのサンプリング時点を含む予め設定された時間区間内の少なくとも１つの前記差の平均値を算出し、当該平均値を前記消費電流値とするステップと、
を含むことを特徴とする請求項１〜４のいずれか１項に記載の充電管理方法。
【請求項６】
充電中に、現在の充電のために設定された希望充電電流値である目標充電電流値と、実際充電電流値を取得するように構成される取得モジュールと、
前記目標充電電流値と前記実際充電電流値に基づいて消費電流値を算出するように構成される算出モジュールと、
前記消費電流値の大きさに基づいて、前記目標充電電流値を調整するように構成される調整モジュールと、
を含むことを特徴とする充電管理装置。
【請求項７】
前記調整モジュールは、
前記消費電流値に基づいて、少なくとも一つの消費電流値区間と各前記消費電流値区間に対応する目標充電電流値を含む予め設定された対応関係を照会することにより、前記消費電流値に対応する前記目標充電電流値を取得することを特徴とする請求項６に記載の充電管理装置。
【請求項８】
前記調整モジュールは、
ユーザにより使用されている状態にある場合、前記消費電流値に基づいて、少なくとも一つの消費電流値区間と各前記消費電流値区間に対応する目標充電電流値を含む第１の対応関係を照会することにより、前記消費電流値に対応する前記目標充電電流値を取得するように構成される第１の調整サブモジュールと、
ユーザにより使用されていない状態にある場合、前記消費電流値に基づいて、少なくとも一つの消費電流値区間と各前記消費電流値区間に対応する目標充電電流値を含む第２の対応関係を照会することにより、前記消費電流値に対応する前記目標充電電流値を取得するように構成される第２の調整サブモジュールと、
を含み、
同じ消費電流値について、前記第１の対応関係における対応する目標充電電流値は、前記第２の対応関係における対応する目標充電電流値以下であることを特徴とする請求項７に記載の充電管理装置。
【請求項９】
スクリーンが動作状態にあるか否かを検出するように構成される検出モジュールをさらに含み、
前記第１の調整サブモジュールは、前記検出モジュールにより、前記スクリーンが動作状態にあると検出された場合、現在ユーザにより使用されている状態にあると特定し、前記消費電流値に基づいて第１の対応関係を照会することにより、前記消費電流値に対応する前記目標充電電流値を取得し、
前記第２の調整サブモジュールは、前記検出モジュールにより、前記スクリーンがオフ状態にあると検出された場合、現在ユーザにより使用されていない状態にあると特定し、前記消費電流値に基づいて第２の対応関係を照会することにより、前記消費電流値に対応する前記目標充電電流値を取得することを特徴とする請求項８に記載の充電管理装置。
【請求項１０】
前記算出モジュールは、
同一のサンプリング時点にサンプリングした前記目標充電電流値と前記実際充電電流値の差を算出するように構成される差算出サブモジュールと、
少なくとも１つのサンプリング時点を含む予め設定された時間区間内の少なくとも１つの前記差の平均値を算出し、当該平均値を前記消費電流値とするように構成される平均値算出サブモジュールと、
を含むことを特徴とする請求項６〜９のいずれか１項に記載の充電管理装置。
【請求項１１】
プロセッサと、
前記プロセッサにより実行可能な命令を記憶するためのメモリと、
を含み、
前記プロセッサは、
充電中に、現在の充電のために設定された希望充電電流値である目標充電電流値と、実際充電電流値を取得し、
前記目標充電電流値と前記実際充電電流値に基づいて消費電流値を算出し、
前記消費電流値の大きさに基づいて、前記目標充電電流値を調整するように構成されることを特徴とする充電管理装置。
【発明の詳細な説明】
【関連出願の相互参照】
【０００１】
本願は、出願番号がＣＮ２０１４１０７８４７１１２であって、出願日が２０１４年１２月１６日である中国特許出願に基づき優先権を主張し、当該中国特許出願のすべての内容を本願に援用する。
【技術分野】
【０００２】
本発明は、電子回路の技術分野に関し、特に、充電管理方法、及び充電管理装置に関する。
【背景技術】
【０００３】
チップの計算力の向上につれて、チップの消費電力と発熱量もますます大きくなりつつある。スマートフォン、タブレットパソコン、及び電子書籍リーダなどの移動装置において、消費電力と発熱量の低下は、重要な課題になっている。
【０００４】
移動端末には、発熱量の大きいチップ源が二つある。第１のチップ源は、ＣＰＵ（Ｃｅｎｔｒａｌ  Ｐｒｏｃｅｓｓｉｎｇ  Ｕｎｉｔ）、ＧＰＵ（Ｇｒａｐｈｉｃ  Ｐｒｏｃｅｓｓｉｎｇ  Ｕｎｉｔ）、及びメモリを含む。第２のチップ源は、電源管理チップと充電管理チップを含む。ユーザが正常に移動端末を使用する場合には、主に第１のチップ源が熱を発する。移動端末の充電時には、主に第２のチップ源が熱を発する。ユーザが充電中に移動端末を使用する場合には、二つのチップ源のいずれも多くの熱を発する。
【発明の概要】
【発明が解決しようとする課題】
【０００５】
本発明の実施例は、従来技術において移動端末が充電中に多くの熱を発するという問題を解決するために、充電管理方法、及び充電管理装置を提供する。
【課題を解決するための手段】
【０００６】
本発明の実施例の第１の態様によると、充電管理方法を提供し、当該方法は、充電中に、現在の充電のために設定された希望充電電流値である目標充電電流値と、実際充電電流値を取得するステップと、前記目標充電電流値と前記実際充電電流値に基づいて消費電流値を算出するステップと、前記消費電流値の大きさに基づいて、前記目標充電電流値を調整するステップと、を含む。
【０００７】
１つの実施例において、前記消費電流値の大きさに基づいて、前記目標充電電流値を調整するステップは、前記消費電流値に基づいて、少なくとも一つの消費電流値区間と各前記消費電流値区間に対応する目標充電電流値を含む予め設定された対応関係を照会することにより、前記消費電流値に対応する前記目標充電電流値を取得するステップを含む。
【０００８】
１つの実施例において、前記消費電流値に基づいて、予め設定された対応関係を照会することにより、前記消費電流値に対応する前記目標充電電流値を取得するステップは、ユーザにより使用されている状態にある場合、前記消費電流値に基づいて、少なくとも一つの消費電流値区間と各前記消費電流値区間に対応する目標充電電流値を含む第１の対応関係を照会することにより、前記消費電流値に対応する前記目標充電電流値を取得するステップと、ユーザにより使用されていない状態にある場合、前記消費電流値に基づいて、少なくとも一つの消費電流値区間と各前記消費電流値区間に対応する目標充電電流値を含む第２の対応関係を照会することにより、前記消費電流値に対応する前記目標充電電流値を取得するステップと、を含み、同じ消費電流値について、前記第１の対応関係における対応する目標充電電流値は、前記第２の対応関係における対応する目標充電電流値以下である。
【０００９】
１つの実施例において、前記充電管理方法は、スクリーンが動作状態にあるか否かを検出するステップをさらに含み、前記スクリーンが動作状態にある場合、現在ユーザにより使用されている状態にあると特定し、前記消費電流値に基づいて第１の対応関係を照会することにより、前記消費電流値に対応する前記目標充電電流値を取得するステップを実行し、前記スクリーンがオフ状態にある場合、現在ユーザにより使用されていない状態にあると特定し、前記消費電流値に基づいて第２の対応関係を照会することにより、前記消費電流値に対応する前記目標充電電流値を取得するステップを実行する。
【００１０】
１つの実施例において、前記目標充電電流値と前記実際充電電流値に基づいて消費電流値を算出するステップは、同一のサンプリング時点にサンプリングした前記目標充電電流値と前記実際充電電流値の差を算出するステップと、少なくとも１つのサンプリング時点を含む予め設定された時間区間内の少なくとも１つの前記差の平均値を算出し、当該平均値を前記消費電流値とするステップと、を含む。
【００１１】
本発明の実施例の第２の態様によると、充電管理装置を提供し、当該装置は、充電中に、現在の充電のために設定された希望充電電流値である目標充電電流値と、実際充電電流値を取得するように構成される取得モジュールと、前記目標充電電流値と前記実際充電電流値に基づいて消費電流値を算出するように構成される算出モジュールと、前記消費電流値の大きさに基づいて、前記目標充電電流値を調整するように構成される調整モジュールと、を含む。
【００１２】
１つの実施例において、前記調整モジュールは、前記消費電流値に基づいて、少なくとも一つの消費電流値区間と各前記消費電流値区間に対応する目標充電電流値を含む予め設定された対応関係を照会することにより、前記消費電流値に対応する前記目標充電電流値を取得する。
【００１３】
１つの実施例において、前記調整モジュールは、ユーザにより使用されている状態にある場合、前記消費電流値に基づいて、少なくとも一つの消費電流値区間と各前記消費電流値区間に対応する目標充電電流値を含む第１の対応関係を照会することにより、前記消費電流値に対応する前記目標充電電流値を取得するように構成される第１の調整サブモジュールと、ユーザにより使用されていない状態にある場合、前記消費電流値に基づいて、少なくとも一つの消費電流値区間と各前記消費電流値区間に対応する目標充電電流値を含む第２の対応関係を照会することにより、前記消費電流値に対応する前記目標充電電流値を取得するように構成される第２の調整サブモジュールと、を含み、同じ消費電流値について、前記第１の対応関係における対応する目標充電電流値は、前記第２の対応関係における対応する目標充電電流値以下である。
【００１４】
１つの実施例において、前記充電管理装置は、スクリーンが動作状態にあるか否かを検出するように構成される検出モジュールをさらに含み、前記第１の調整サブモジュールは、前記検出モジュールにより、前記スクリーンが動作状態にあると検出された場合、現在ユーザにより使用されている状態にあると特定し、前記消費電流値に基づいて第１の対応関係を照会することにより、前記消費電流値に対応する前記目標充電電流値を取得し、前記第２の調整サブモジュールは、前記検出モジュールにより、前記スクリーンがオフ状態にあると検出された場合、現在ユーザにより使用されていない状態にあると特定し、前記消費電流値に基づいて第２の対応関係を照会することにより、前記消費電流値に対応する前記目標充電電流値を取得する。
【００１５】
１つの実施例において、前記算出モジュールは、同一のサンプリング時点にサンプリングした前記目標充電電流値と前記実際充電電流値の差を算出するように構成される差算出サブモジュールと、少なくとも１つのサンプリング時点を含む予め設定された時間区間内の少なくとも１つの前記差の平均値を算出し、当該平均値を前記消費電流値とするように構成される平均値算出サブモジュールと、を含む。
【００１６】
本発明の実施例の第３の態様によると、充電管理装置を提供し、当該装置は、プロセッサと、前記プロセッサにより実行可能な命令を記憶するためのメモリと、を含み、前記プロセッサは、充電中に、現在の充電のために設定された希望充電電流値である目標充電電流値と、実際充電電流値を取得し、前記目標充電電流値と前記実際充電電流値に基づいて消費電流値を算出し、前記消費電流値の大きさに基づいて、前記目標充電電流値を調整するように構成される。
【発明の効果】
【００１７】
本発明の実施例による技術案は、以下の有益な効果を有することができる。
【００１８】
充電中に目標充電電流値と実際充電電流値を取得し、当該目標充電電流値と当該実際充電電流値に基づいて消費電流値を算出し、当該消費電流値の大きさに基づいて当該目標充電電流値を調整することにより、移動端末が充電中に多くの熱を発するという問題を解決し、消費電流値の大きさに応じて動的に目標充電電流値を調整して、移動端末の発熱量も消費電流値の大きさに応じて変化させるという効果を達成する。
【００１９】
以上の一般的な記述と、以下の詳細の記述は、ただ例示的なものであって、本発明を限定するものではないことを理解すべきである。
【図面の簡単な説明】
【００２０】
ここの図面は、明細書に組み入れて本明細書の一部分を構成し、本発明に該当する実施例を例示するとともに、明細書とともに本発明の原理を解釈するために用いられる。
【００２１】
【図１】図１は、一つの例示的な実施例にかかる充電管理方法のフローチャートである。
【図２】図２は、別の例示的な実施例にかかる充電管理方法のフローチャートである。
【図３】図３は、別の例示的な実施例にかかる充電管理方法のフローチャートである。
【図４】図４は、一つの例示的な実施例にかかる充電管理装置のブロック図である。
【図５】図５は、別の例示的な実施例にかかる充電管理装置のブロック図である。
【図６】図６は、一つの例示的な実施例にかかる充電管理装置のブロック図である。
【００２２】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００２３】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施形態は、本発明に一致する全ての実施形態を代表するわけではない。かえって、それらは、添付される特許請求の範囲で詳細に記載される本発明の一部の態様に一致する装置、及び方法の例に過ぎない。
【００２４】
本発明の実施例における移動端末は、充電電池で電源を供給する電子設備であり、例えば、携帯電話、タブレットパソコン、電子書籍リーダ、ＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ３）プレイヤ、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ４）プレイヤ、ポータブルラップトップコンピュータなどである。
【００２５】
図１は、一つの例示的な実施例にかかる充電管理方法のフローチャートである。本実施例は、当該充電管理方法が移動端末に応用されることを例として説明する。当該充電管理方法は、以下のステップを含む。
【００２６】
ステップ１０１において、充電中に、現在の充電のために設定された希望充電電流値である目標充電電流値と実際充電電流値を取得する。
【００２７】
目標充電電流値は、移動端末が現在の充電のために設定した希望充電電流値であり、Ｉ目標と記する。
【００２８】
実際充電電流値は、充電電池側で測定した電流値であり、Ｉ実際と記する。実際充電電流値は、通常、目標充電電流値より小さい。
【００２９】
ステップ１０２において、目標充電電流値と実際充電電流値に基づいて消費電流値を算出する。
【００３０】
好ましくは、消費電流値Ｉ消費＝目標充電電流値Ｉ目標−実際充電電流値Ｉ実際である。消費電流値Ｉ消費は、主に第１のチップ源により消費された電流である。即ち、ＣＰＵ、ＧＰＵ、メモリにより消費された電流である。
【００３１】
消費電流値Ｉ消費が小さいほど、移動端末の現在の負荷が小さいことを表し、ユーザが移動端末を使用していない可能性がある。
【００３２】
消費電流値Ｉ消費が大きいほど、移動端末の現在の負荷が大きいことを表し、ユーザが移動端末を使用している可能性がある。
【００３３】
ステップ１０３において、消費電流値の大きさに基づいて目標充電電流値を調整する。
【００３４】
消費電流値の大きさは、調整後の目標充電電流値とマイナスの相関関係にある。即ち、消費電流値Ｉ消費が比較的に小さい場合、ユーザが移動端末を使用していない可能性があるため、比較的に大きい目標充電電流値Ｉ目標で充電速度を保証することができる。
【００３５】
消費電流値Ｉ消費が比較的に大きい場合、ユーザが移動端末を使用している可能性があるため、比較的に小さい目標充電電流値Ｉ目標で発熱量を減少させることができる。
【００３６】
以上をまとめると、本実施例にかかる充電管理方法によると、充電中に目標充電電流値と実際充電電流値を取得し、当該目標充電電流値と当該実際充電電流値に基づいて消費電流値を算出し、当該消費電流値の大きさに基づいて当該目標充電電流値を調整することにより、移動端末が充電中に多くの熱を発するという問題を解決し、消費電流値の大きさに応じて動的に目標充電電流値を調整して、移動端末の発熱量も消費電流値の大きさに応じて変化させるという効果を達成する。
【００３７】
図２は、別の例示的な実施例にかかる充電管理方法のフローチャートである。本実施例は、当該充電管理方法が移動端末に応用されることを例として説明する。当該充電管理方法は、以下のステップを含む。
【００３８】
ステップ２０１において、充電中に、現在の充電のために設定された希望充電電流値である目標充電電流値と実際充電電流値を取得する。
【００３９】
充電中に、移動端末は、予め設定されたサンプリング間隔おきに目標充電電流値Ｉ目標と実際充電電流値Ｉ実際をサンプリングする。目標充電電流値は、移動端末が現在の充電のために設定した希望充電電流値である。実際充電電流値は、移動端末が充電電池側で測定した電流値である。
【００４０】
例えば、移動端末は、３０秒おきに目標充電電流値Ｉ目標と実際充電電流値Ｉ実際をサンプリングする。
【００４１】
表１は、サンプリング結果を例示的に示す。
【表１】
2017509308.tif 000003
【００４２】
ステップ２０２において、同一のサンプリング時点にサンプリングした目標充電電流値と実際充電電流値の差を算出する。
【００４３】
移動端末は、同一のサンプリング時点にサンプリングした目標充電電流値と実際充電電流値の差を算出する。
【００４４】
表２は、当該算出過程を例示的に示す。
【表２】
2017509308.tif 000004
【００４５】
ステップ２０３において、少なくとも１つのサンプリング時点を含む予め設定された時間区間内の少なくとも１つの差の平均値を算出し、当該平均値を消費電流値とする。
【００４６】
当該予め設定された時間区間は、予め設定された時間間隔おきに設定された時間区間である。
【００４７】
例えば、２分を予め設定された時間間隔として一つ一つの連続した予め設定された時間区間を設定する。各予め設定された時間区間には、４つのサンプリング時点が含まれる。
【００４８】
各予め設定された時間区間について、移動端末は、予め設定された時間区間内の少なくとも１つの差の平均値を算出し、当該平均値を消費電流値とする。例えば、移動端末は、電流値１３、電流値２３、電流値３３、電流値４３の平均値を算出し、当該平均値を消費電流値Ｉ消費とする。
【００４９】
ステップ２０４において、当該消費電流値に基づいて、予め設定された対応関係を照会することにより、消費電流値に対応する目標充電電流値を取得する。
【００５０】
当該対応関係は、少なくとも一つの消費電流値区間と各消費電流値区間に対応する目標充電電流値を含む。当該対応関係において、消費電流値区間と目標充電電流値はマイナスの相関関係にある。
【００５１】
表３は、当該対応関係を例示的に示す。ここで、第１の閾値は、第２の閾値より小さく、第２の閾値は、第３の閾値より小さく、第３の閾値は、第４の閾値より小さい。
【表３】
2017509308.tif 000005
【００５２】
例えば、消費電流値が第１の閾値より小さい場合、移動端末は、目標充電電流値を最大充電電流値に調整し、調整後の目標充電電流値に基づいて引き続き充電する。
【００５３】
例えば、消費電流値が第３の閾値より大きく第４の閾値より小さい場合、移動端末は、目標充電電流値を最大充電電流値＊７０％に調整し、調整後の目標充電電流値に基づいて引き続き充電する。
【００５４】
以上をまとめると、本実施例にかかる充電管理方法によると、充電中に目標充電電流値と実際充電電流値を取得し、当該目標充電電流値と当該実際充電電流値に基づいて消費電流値を算出し、当該消費電流値の大きさに基づいて当該目標充電電流値を調整することにより、移動端末が充電中に多くの熱を発するという問題を解決し、消費電流値の大きさに応じて動的に目標充電電流値を調整して、移動端末の発熱量も消費電流値の大きさに応じて変化させるという効果を達成する。
【００５５】
図３は、別の例示的な実施例にかかる充電管理方法のフローチャートである。本実施例は、当該充電管理方法が移動端末に応用されることを例として説明する。当該充電管理方法は、以下のステップを含む。
【００５６】
ステップ３０１において、充電中に、現在の充電のために設定された希望充電電流値である目標充電電流値と実際充電電流値を取得する。
【００５７】
充電中に、移動端末は、予め設定されたサンプリング間隔おきに目標充電電流値Ｉ目標と実際充電電流値Ｉ実際をサンプリングする。目標充電電流値は、移動端末が現在の充電のために設定した希望充電電流値である。実際充電電流値は、移動端末が充電電池側で測定した電流値である。
【００５８】
例えば、移動端末は、３０秒おきに目標充電電流値Ｉ目標と実際充電電流値Ｉ実際をサンプリングする。
【００５９】
ステップ３０２において、同一のサンプリング時点にサンプリングした目標充電電流値と実際充電電流値の差を算出する。
【００６０】
移動端末は、同一のサンプリング時点にサンプリングした目標充電電流値Ｉ目標と実際充電電流値Ｉ実際の差を算出する。
【００６１】
ステップ３０３において、少なくとも１つのサンプリング時点を含む予め設定された時間区間内の少なくとも１つの差の平均値を算出し、当該平均値を消費電流値とする。
【００６２】
当該予め設定された時間区間は、予め設定された時間間隔おきに設定された時間区間である。
【００６３】
例えば、２分を予め設定された時間間隔として一つ一つの連続した予め設定された時間区間を設定する。各予め設定された時間区間には、４つのサンプリング時点が含まれる。
【００６４】
各予め設定された時間区間について、移動端末は、予め設定された時間区間内の少なくとも１つの差の平均値を算出し、当該平均値を消費電流値Ｉ消費とする。
【００６５】
ステップ３０４において、スクリーンが動作状態にあるか否かを検出する。
【００６６】
移動端末は、スクリーンが動作状態にあるか否かを検出することにより、移動端末が現在ユーザにより使用されている状態にあるか否かを判断することもできる。
【００６７】
スクリーンが動作状態にある場合、ステップ３０５に進み、スクリーンがオフ状態にある場合、ステップ３０６に進む。
【００６８】
また、移動端末には、第１の対応関係と第２の対応関係の２つの対応関係が予め格納される。各対応関係は、いずれも少なくとも一つの消費電流値区間と各消費電流値区間に対応する目標充電電流値を含む。
【００６９】
ユーザにより使用されている状態にある場合、移動端末は、第１の対応関係を用いて目標充電電流値を特定して、発熱量と充電速度を両立する。ユーザにより使用されていない状態にある場合、移動端末は、第２の対応関係を用いて目標充電電流値を特定して、充電速度を優先的に保証する。従って、同じ消費電流値について、第１の対応関係における対応する目標充電電流値は、第２の対応関係における対応する目標充電電流値以下である。
【００７０】
ステップ３０５において、スクリーンが動作状態にある場合、現在ユーザにより使用されている状態にあると特定し、消費電流値に基づいて第１の対応関係を照会することにより、消費電流値に対応する目標充電電流値を取得する。
【００７１】
表４は、当該第１の対応関係を例示的に示す。当該第１の対応関係における消費電流値区間と目標充電電流値は、マイナスの相関関係にある。
【表４】
2017509308.tif 000006
【００７２】
例えば、消費電流値が５００ｍＡである場合、移動端末は、目標充電電流値を最大充電電流値＊８０％に調整する。
【００７３】
ステップ３０６において、スクリーンがオフ状態にある場合、現在ユーザにより使用されていない状態にあると特定し、消費電流値に基づいて第２の対応関係を照会することにより、消費電流値に対応する目標充電電流値を取得する。
【００７４】
表５は、当該第２の対応関係を例示的に示す。当該第２の対応関係における消費電流値区間と目標充電電流値は、マイナスの相関関係にある。
【表５】
2017509308.tif 000007
【００７５】
例えば、消費電流値が１１００ｍＡである場合、移動端末は、目標充電電流値を最大充電電流値＊９０％に調整する。
【００７６】
ステップ３０７において、調整後の目標充電電流値に基づいて引き続き充電する。
【００７７】
以上をまとめると、本実施例にかかる充電管理方法によると、充電中に目標充電電流値と実際充電電流値を取得し、当該目標充電電流値と当該実際充電電流値に基づいて消費電流値を算出し、当該消費電流値の大きさに基づいて当該目標充電電流値を調整することにより、移動端末が充電中に多くの熱を発するという問題を解決し、消費電流値の大きさに応じて動的に目標充電電流値を調整して、移動端末の発熱量も消費電流値の大きさに応じて変化させるという効果を達成する。
【００７８】
本実施例にかかる充電管理方法によると、移動端末がユーザにより使用されている状態にある場合、第１の対応関係に基づいて目標充電電流値を特定することにより、発熱量と充電速度を両立する。
【００７９】
本実施例にかかる充電管理方法によると、移動端末がユーザにより使用されていない状態にある場合、第２の対応関係に基づいて目標充電電流値を特定することにより、充電速度を優先的に保証する。
【００８０】
以下は、本発明の装置の実施例であり、本発明の方法の実施例を実行できる。本発明の装置の実施例で開示されない詳細は、本発明の方法の実施例を参照されたい。
【００８１】
図４は、一つの例示的な実施例にかかる充電管理装置のブロック図である。当該充電管理装置は、ソフトウェア、ハードウェア、又は両者の組み合わせにより、移動端末の一部又は全部を実現することができる。当該充電管理装置は、充電中に、現在の充電のために設定された希望充電電流値である目標充電電流値と、実際充電電流値を取得するように構成される取得モジュール４２０と、当該目標充電電流値と当該実際充電電流値に基づいて消費電流値を算出するように構成される算出モジュール４４０と、当該消費電流値の大きさに基づいて、当該目標充電電流値を調整するように構成される調整モジュール４６０とを含む。
【００８２】
以上をまとめると、本実施例にかかる充電管理装置によると、充電中に目標充電電流値と実際充電電流値を取得し、当該目標充電電流値と当該実際充電電流値に基づいて消費電流値を算出し、当該消費電流値の大きさに基づいて当該目標充電電流値を調整することにより、移動端末が充電中に多くの熱を発するという問題を解決し、消費電流値の大きさに応じて動的に目標充電電流値を調整して、移動端末の発熱量も消費電流値の大きさに応じて変化させるという効果を達成する。
【００８３】
図５は、一つの例示的な実施例にかかる充電管理装置のブロック図である。当該充電管理装置は、ソフトウェア、ハードウェア、又は両者の組み合わせにより、移動端末の一部又は全部を実現することができる。当該充電管理装置は、充電中に、現在の充電のために設定された希望充電電流値である目標充電電流値と、実際充電電流値を取得するように構成される取得モジュール４２０と、当該目標充電電流値と当該実際充電電流値に基づいて消費電流値を算出するように構成される算出モジュール４４０と、当該消費電流値の大きさに基づいて、当該目標充電電流値を調整するように構成される調整モジュール４６０とを含む。
【００８４】
また、当該調整モジュール４６０は、当該消費電流値に基づいて、少なくとも一つの消費電流値区間と各当該消費電流値区間に対応する目標充電電流値を含む予め設定された対応関係を照会することにより、当該消費電流値に対応する当該目標充電電流値を取得する。また、当該調整モジュール４６０は、ユーザにより使用されている状態にある場合、当該消費電流値に基づいて、少なくとも一つの消費電流値区間と各当該消費電流値区間に対応する目標充電電流値を含む第１の対応関係を照会することにより、当該消費電流値に対応する当該目標充電電流値を取得するように構成される第１の調整サブモジュール４６２と、ユーザにより使用されていない状態にある場合、当該消費電流値に基づいて、少なくとも一つの消費電流値区間と各当該消費電流値区間に対応する目標充電電流値を含む第２の対応関係を照会することにより、当該消費電流値に対応する当該目標充電電流値を取得するように構成される第２の調整サブモジュール４６４とを含む。
【００８５】
ここで、同じ消費電流値について、当該第１の対応関係における対応する目標充電電流値は、当該第２の対応関係における対応する目標充電電流値以下である。また、当該充電管理装置は、スクリーンが動作状態にあるか否かを検出するように構成される検出モジュール４５０をさらに含む。当該第１の調整サブモジュール４６２は、当該検出モジュールにより、当該スクリーンが動作状態にあると検出された場合、現在ユーザにより使用されている状態にあると特定し、当該消費電流値に基づいて第１の対応関係を照会することにより、当該消費電流値に対応する当該目標充電電流値を取得するように構成される。当該第２の調整サブモジュール４６４は、当該検出モジュールにより、当該スクリーンがオフ状態にあると検出された場合、現在ユーザにより使用されていない状態にあると特定し、当該消費電流値に基づいて第２の対応関係を照会することにより、当該消費電流値に対応する当該目標充電電流値を取得する。
【００８６】
また、当該算出モジュール４４０は、同一のサンプリング時点にサンプリングした当該目標充電電流値と当該実際充電電流値の差を算出するように構成される差算出サブモジュール４４２と、少なくとも１つのサンプリング時点を含む予め設定された時間区間内の少なくとも１つの当該差の平均値を算出し、当該平均値を当該消費電流値とするように構成される平均値算出サブモジュール４４４とを含む。
【００８７】
以上をまとめると、本実施例にかかる充電管理装置によると、充電中に目標充電電流値と実際充電電流値を取得し、当該目標充電電流値と当該実際充電電流値に基づいて消費電流値を算出し、当該消費電流値の大きさに基づいて当該目標充電電流値を調整することにより、移動端末が充電中に多くの熱を発するという問題を解決し、消費電流値の大きさに応じて動的に目標充電電流値を調整して、移動端末の発熱量も消費電流値の大きさに応じて変化させるという効果を達成する。
【００８８】
本実施例にかかる充電管理装置によると、移動端末がユーザにより使用されている状態にある場合、第１の対応関係に基づいて目標充電電流値を特定することにより、発熱量と充電速度を両立する。
【００８９】
本実施例にかかる充電管理装置によると、移動端末がユーザにより使用されていない状態にある場合、第２の対応関係に基づいて目標充電電流値を特定することにより、充電速度を優先的に保証する。
【００９０】
上記実施例における装置について、その各モジュールが操作を実行する具体的な方式は、当該方法に係る実施例において詳しく説明されたので、ここで詳しい説明を省略する。
【００９１】
図６は、一つの例示的な実施例にかかる充電管理装置６００のブロック図である。例えば、装置６００は、携帯電話、コンピュータ、デジタル放送端末、メッセージ送受信装置、ゲームコンソール、タブレット装置、医療設備、フィットネス装置、ＰＤＡなどである。
【００９２】
図６を参照すると、装置６００は、プロセスアセンブリ６０２、メモリ６０４、電源アセンブリ６０６、マルチメディアアセンブリ６０８、オーディオアセンブリ６１０、入出力（Ｉ／Ｏ）インタフェース６１２、センサアセンブリ６１４、及び通信アセンブリ６１６のような一つ或いは複数のアセンブリを含んでもよい。
【００９３】
プロセスアセンブリ６０２は、一般的には装置６００の全体の動作を制御するものであり、例えば、表示、電話呼び出し、データ通信、カメラ操作、及び記録操作と関連する操作を制御する。プロセスアセンブリ６０２は、一つ以上のプロセッサ６２０を含み、これらによって命令を実行することにより、上記の方法の全部、或いは一部のステップを実現するようにしてもよい。なお、プロセスアセンブリ６０２は、一つ以上のモジュールを含んでプロセスアセンブリ６０２と他のアセンブリの間のインタラクションを容易にしてもよい。例えば、プロセスアセンブリ６０２は、マルチメディアモジュールを含んでマルチメディアアセンブリ６０８とプロセスアセンブリ６０２の間のインタラクションを容易にしてもよい。
【００９４】
メモリ６０４は、各種類のデータを記憶することにより装置６００の動作を支援するように構成される。これらのデータの例は、装置６００において操作されるいずれのアプリケーションプログラム又は方法の命令、連絡対象データ、電話帳データ、メッセージ、画像、ビデオ等を含む。メモリ６０４は、いずれかの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクである。
【００９５】
電源アセンブリ６０６は、装置６００の各アセンブリに電力を供給する。電源アセンブリ６０６は、電源管理システム、一つ或いは複数の電源、及び装置６００のための電力の生成、管理、及び割り当てに関連する他のアセンブリを含んでもよい。
【００９６】
マルチメディアアセンブリ６０８は、上記装置６００とユーザの間に一つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、一つ以上のタッチセンサを含み、タッチ、スライド、及びタッチパネル上のジェスチャを検出することができる。上記タッチセンサは、タッチ、或いはスライド動作の境界だけでなく、上記タッチ、或いはスライド操作に係る継続時間、及び圧力も検出できる。部分実施例において、マルチメディアアセンブリ６０８は、一つのフロントカメラ、及び／又はリアカメラを含む。装置６００が、例えば撮影モード、或いはビデオモード等の操作モードにある場合、フロントカメラ、及び／又はリアカメラは外部からマルチメディアデータを受信できる。フロントカメラとリアカメラのそれぞれは、一つの固定型の光レンズ系、或いは可変焦点距離と光学ズーム機能を有するものであってもよい。
【００９７】
オーディオアセンブリ６１０は、オーディオ信号を入出力するように構成される。例えば、オーディオアセンブリ６１０は、一つのマイク（ＭＩＣ）を含み、装置６００が、例えば呼出しモード、記録モード、及び音声認識モード等の操作モードにある場合、マイクは外部のオーディオ信号を受信することができる。受信されたオーディオ信号は、さらにメモリ６０４に記憶されたり、通信アセンブリ６１６を介して送信されたりする。部分実施例において、オーディオアセンブリ６１０は、オーディオ信号を出力するための一つのスピーカーをさらに含む。
【００９８】
Ｉ／Ｏインタフェース６１２は、プロセスアセンブリ６０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【００９９】
センサアセンブリ６１４は、装置６００に各方面の状態に対する評価を提供するための一つ以上のセンサを含む。例えば、センサアセンブリ６１４は、装置６００のＯＮ／ＯＦＦ状態、装置６００のディスプレイとキーパッドのようなアセンブリの相対的な位置決めを検出できる。また、センサアセンブリ６１４は、装置６００、或いは装置６００の一つのアセンブリの位置変更、ユーザと装置６００とが接触しているか否か、装置６００の方位、又は加速／減速、装置６００の温度の変化を検出できる。センサアセンブリ６１４は、何れの物理的接触がない状態にて付近の物体の存在を検出するための近接センサを含んでもよい。センサアセンブリ６１４は、撮影アプリケーションに適用するため、ＣＭＯＳ、又はＣＣＤ画像センサのような光センサを含んでもよい。部分実施例において、当該センサアセンブリ６１４は、加速度センサ、ジャイロスコープセンサ、磁気センサ、圧力センサ、及び温度センサをさらに含んでもよい。
【０１００】
通信アセンブリ６１６は、装置６００と他の機器の間に有線、又は無線形態の通信を提供する。装置６００は、例えばＷｉＦｉ、２Ｇ、３Ｇ、或いはこれらの組み合わせのような、通信規格に基づいた無線ネットワークに接続されてもよい。一つの例示的な実施例において、通信アセンブリ６１６は、放送チャンネルを介して外部の放送管理システムからの放送信号、又は放送に関連する情報を受信する。一つの例示的な実施例において、上記通信アセンブリ６１６は、近距離無線通信（ＮＦＣ）モジュールをさらに含むことにより、近距離通信をプッシュする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、及び他の技術に基づいて実現できる。
【０１０１】
例示的な実施例において、装置６００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記充電管理方法を実行する。
【０１０２】
例示的な実施例において、命令を含むコンピュータ読取り可能な非一時的な記録媒体、例えば命令を含むメモリ６０４をさらに提供し、装置６００のプロセッサ６２０により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０１０３】
コンピュータ読取り可能な非一時的な記録媒体は、記録媒体に記録されている命令が装置６００のプロセッサにより実行されると、装置６００が充電管理方法を実行できるようにする。
【０１０４】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１０５】
本発明は、上記で記述し、図面で図示した特定の構成に限定されず、その範囲を離脱しない状況で、様様な修正と変更を実現できる。本発明の範囲は、添付される特許請求の範囲のみにより限定される。
【図１】
2017509308.tif 000008
【図２】
2017509308.tif 000009
【図３】
2017509308.tif 000010
【図４】
2017509308.tif 000011
【図５】
2017509308.tif 000012
【図６】
2017509308.tif 000013
【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
充電中に、現在の充電のために設定された希望充電電流値である目標充電電流値と、実際充電電流値を取得するステップと、
前記目標充電電流値と前記実際充電電流値に基づいて消費電流値を算出するステップと、
前記消費電流値の大きさに基づいて、前記目標充電電流値を調整するステップと、
を含むことを特徴とする充電管理方法。
【請求項２】
前記消費電流値の大きさに基づいて、前記目標充電電流値を調整するステップは、
前記消費電流値に基づいて、少なくとも一つの消費電流値区間と各前記消費電流値区間に対応する目標充電電流値を含む予め設定された対応関係を照会することにより、前記消費電流値に対応する前記目標充電電流値を取得するステップを含むことを特徴とする請求項１に記載の充電管理方法。
【請求項３】
前記消費電流値に基づいて、予め設定された対応関係を照会することにより、前記消費電流値に対応する前記目標充電電流値を取得するステップは、
ユーザにより使用されている状態にある場合、前記消費電流値に基づいて、少なくとも一つの消費電流値区間と各前記消費電流値区間に対応する目標充電電流値を含む第１の対応関係を照会することにより、前記消費電流値に対応する前記目標充電電流値を取得するステップと、
ユーザにより使用されていない状態にある場合、前記消費電流値に基づいて、少なくとも一つの消費電流値区間と各前記消費電流値区間に対応する目標充電電流値を含む第２の対応関係を照会することにより、前記消費電流値に対応する前記目標充電電流値を取得するステップと、
を含み、
同じ消費電流値について、前記第１の対応関係における対応する目標充電電流値は、前記第２の対応関係における対応する目標充電電流値以下であることを特徴とする請求項２に記載の充電管理方法。
【請求項４】
スクリーンが動作状態にあるか否かを検出するステップをさらに含み、
前記スクリーンが動作状態にある場合、現在ユーザにより使用されている状態にあると特定し、前記消費電流値に基づいて第１の対応関係を照会することにより、前記消費電流値に対応する前記目標充電電流値を取得するステップを実行し、
前記スクリーンがオフ状態にある場合、現在ユーザにより使用されていない状態にあると特定し、前記消費電流値に基づいて第２の対応関係を照会することにより、前記消費電流値に対応する前記目標充電電流値を取得するステップを実行することを特徴とする請求項３に記載の充電管理方法。
【請求項５】
前記目標充電電流値と前記実際充電電流値に基づいて消費電流値を算出するステップは、
同一のサンプリング時点にサンプリングした前記目標充電電流値と前記実際充電電流値の差を算出するステップと、
少なくとも１つのサンプリング時点を含む予め設定された時間区間内の少なくとも１つの前記差の平均値を算出し、当該平均値を前記消費電流値とするステップと、
を含むことを特徴とする請求項１〜４のいずれか１項に記載の充電管理方法。
【請求項６】
充電中に、現在の充電のために設定された希望充電電流値である目標充電電流値と、実際充電電流値を取得するように構成される取得モジュールと、
前記目標充電電流値と前記実際充電電流値に基づいて消費電流値を算出するように構成される算出モジュールと、
前記消費電流値の大きさに基づいて、前記目標充電電流値を調整するように構成される調整モジュールと、
を含むことを特徴とする充電管理装置。
【請求項７】
前記調整モジュールは、
前記消費電流値に基づいて、少なくとも一つの消費電流値区間と各前記消費電流値区間に対応する目標充電電流値を含む予め設定された対応関係を照会することにより、前記消費電流値に対応する前記目標充電電流値を取得することを特徴とする請求項６に記載の充電管理装置。
【請求項８】
前記調整モジュールは、
ユーザにより使用されている状態にある場合、前記消費電流値に基づいて、少なくとも一つの消費電流値区間と各前記消費電流値区間に対応する目標充電電流値を含む第１の対応関係を照会することにより、前記消費電流値に対応する前記目標充電電流値を取得するように構成される第１の調整サブモジュールと、
ユーザにより使用されていない状態にある場合、前記消費電流値に基づいて、少なくとも一つの消費電流値区間と各前記消費電流値区間に対応する目標充電電流値を含む第２の対応関係を照会することにより、前記消費電流値に対応する前記目標充電電流値を取得するように構成される第２の調整サブモジュールと、
を含み、
同じ消費電流値について、前記第１の対応関係における対応する目標充電電流値は、前記第２の対応関係における対応する目標充電電流値以下であることを特徴とする請求項７に記載の充電管理装置。
【請求項９】
スクリーンが動作状態にあるか否かを検出するように構成される検出モジュールをさらに含み、
前記第１の調整サブモジュールは、前記検出モジュールにより、前記スクリーンが動作状態にあると検出された場合、現在ユーザにより使用されている状態にあると特定し、前記消費電流値に基づいて第１の対応関係を照会することにより、前記消費電流値に対応する前記目標充電電流値を取得し、
前記第２の調整サブモジュールは、前記検出モジュールにより、前記スクリーンがオフ状態にあると検出された場合、現在ユーザにより使用されていない状態にあると特定し、前記消費電流値に基づいて第２の対応関係を照会することにより、前記消費電流値に対応する前記目標充電電流値を取得することを特徴とする請求項８に記載の充電管理装置。
【請求項１０】
前記算出モジュールは、
同一のサンプリング時点にサンプリングした前記目標充電電流値と前記実際充電電流値の差を算出するように構成される差算出サブモジュールと、
少なくとも１つのサンプリング時点を含む予め設定された時間区間内の少なくとも１つの前記差の平均値を算出し、当該平均値を前記消費電流値とするように構成される平均値算出サブモジュールと、
を含むことを特徴とする請求項６〜９のいずれか１項に記載の充電管理装置。
【請求項１１】
プロセッサと、
前記プロセッサにより実行可能な命令を記憶するためのメモリと、
を含み、
前記プロセッサは、
充電中に、現在の充電のために設定された希望充電電流値である目標充電電流値と、実際充電電流値を取得し、
前記目標充電電流値と前記実際充電電流値に基づいて消費電流値を算出し、
前記消費電流値の大きさに基づいて、前記目標充電電流値を調整するように構成されることを特徴とする充電管理装置。
【請求項１２】
プロセッサに実行されることにより、請求項１〜５のいずれか１項に記載の充電管理方法を実現することを特徴とするプログラム。
【請求項１３】
請求項１２に記載のプログラムが記録された記録媒体。
【手続補正２】
【補正対象書類名】明細書
【補正対象項目名】全文
【補正方法】変更
【補正の内容】
【発明の詳細な説明】
【関連出願の相互参照】
【０００１】
本願は、出願番号がＣＮ２０１４１０７８４７１１２であって、出願日が２０１４年１２月１６日である中国特許出願に基づき優先権を主張し、当該中国特許出願のすべての内容を本願に援用する。
【技術分野】
【０００２】
本発明は、電子回路の技術分野に関し、特に、充電管理方法、充電管理装置、プログラム、及び記録媒体に関する。
【背景技術】
【０００３】
チップの計算力の向上につれて、チップの消費電力と発熱量もますます大きくなりつつある。スマートフォン、タブレットパソコン、及び電子書籍リーダなどの移動装置において、消費電力と発熱量の低下は、重要な課題になっている。
【０００４】
移動端末には、発熱量の大きいチップ源が二つある。第１のチップ源は、ＣＰＵ（Ｃｅｎｔｒａｌ  Ｐｒｏｃｅｓｓｉｎｇ  Ｕｎｉｔ）、ＧＰＵ（Ｇｒａｐｈｉｃ  Ｐｒｏｃｅｓｓｉｎｇ  Ｕｎｉｔ）、及びメモリを含む。第２のチップ源は、電源管理チップと充電管理チップを含む。ユーザが正常に移動端末を使用する場合には、主に第１のチップ源が熱を発する。移動端末の充電時には、主に第２のチップ源が熱を発する。ユーザが充電中に移動端末を使用する場合には、二つのチップ源のいずれも多くの熱を発する。
【発明の概要】
【発明が解決しようとする課題】
【０００５】
本発明の実施例は、従来技術において移動端末が充電中に多くの熱を発するという問題を解決するために、充電管理方法、充電管理装置、プログラム、及び記録媒体を提供する。
【課題を解決するための手段】
【０００６】
本発明の実施例の第１の態様によると、充電管理方法を提供し、当該方法は、充電中に、現在の充電のために設定された希望充電電流値である目標充電電流値と、実際充電電流値を取得するステップと、前記目標充電電流値と前記実際充電電流値に基づいて消費電流値を算出するステップと、前記消費電流値の大きさに基づいて、前記目標充電電流値を調整するステップと、を含む。
【０００７】
１つの実施例において、前記消費電流値の大きさに基づいて、前記目標充電電流値を調整するステップは、前記消費電流値に基づいて、少なくとも一つの消費電流値区間と各前記消費電流値区間に対応する目標充電電流値を含む予め設定された対応関係を照会することにより、前記消費電流値に対応する前記目標充電電流値を取得するステップを含む。
【０００８】
１つの実施例において、前記消費電流値に基づいて、予め設定された対応関係を照会することにより、前記消費電流値に対応する前記目標充電電流値を取得するステップは、ユーザにより使用されている状態にある場合、前記消費電流値に基づいて、少なくとも一つの消費電流値区間と各前記消費電流値区間に対応する目標充電電流値を含む第１の対応関係を照会することにより、前記消費電流値に対応する前記目標充電電流値を取得するステップと、ユーザにより使用されていない状態にある場合、前記消費電流値に基づいて、少なくとも一つの消費電流値区間と各前記消費電流値区間に対応する目標充電電流値を含む第２の対応関係を照会することにより、前記消費電流値に対応する前記目標充電電流値を取得するステップと、を含み、同じ消費電流値について、前記第１の対応関係における対応する目標充電電流値は、前記第２の対応関係における対応する目標充電電流値以下である。
【０００９】
１つの実施例において、前記充電管理方法は、スクリーンが動作状態にあるか否かを検出するステップをさらに含み、前記スクリーンが動作状態にある場合、現在ユーザにより使用されている状態にあると特定し、前記消費電流値に基づいて第１の対応関係を照会することにより、前記消費電流値に対応する前記目標充電電流値を取得するステップを実行し、前記スクリーンがオフ状態にある場合、現在ユーザにより使用されていない状態にあると特定し、前記消費電流値に基づいて第２の対応関係を照会することにより、前記消費電流値に対応する前記目標充電電流値を取得するステップを実行する。
【００１０】
１つの実施例において、前記目標充電電流値と前記実際充電電流値に基づいて消費電流値を算出するステップは、同一のサンプリング時点にサンプリングした前記目標充電電流値と前記実際充電電流値の差を算出するステップと、少なくとも１つのサンプリング時点を含む予め設定された時間区間内の少なくとも１つの前記差の平均値を算出し、当該平均値を前記消費電流値とするステップと、を含む。
【００１１】
本発明の実施例の第２の態様によると、充電管理装置を提供し、当該装置は、充電中に、現在の充電のために設定された希望充電電流値である目標充電電流値と、実際充電電流値を取得するように構成される取得モジュールと、前記目標充電電流値と前記実際充電電流値に基づいて消費電流値を算出するように構成される算出モジュールと、前記消費電流値の大きさに基づいて、前記目標充電電流値を調整するように構成される調整モジュールと、を含む。
【００１２】
１つの実施例において、前記調整モジュールは、前記消費電流値に基づいて、少なくとも一つの消費電流値区間と各前記消費電流値区間に対応する目標充電電流値を含む予め設定された対応関係を照会することにより、前記消費電流値に対応する前記目標充電電流値を取得する。
【００１３】
１つの実施例において、前記調整モジュールは、ユーザにより使用されている状態にある場合、前記消費電流値に基づいて、少なくとも一つの消費電流値区間と各前記消費電流値区間に対応する目標充電電流値を含む第１の対応関係を照会することにより、前記消費電流値に対応する前記目標充電電流値を取得するように構成される第１の調整サブモジュールと、ユーザにより使用されていない状態にある場合、前記消費電流値に基づいて、少なくとも一つの消費電流値区間と各前記消費電流値区間に対応する目標充電電流値を含む第２の対応関係を照会することにより、前記消費電流値に対応する前記目標充電電流値を取得するように構成される第２の調整サブモジュールと、を含み、同じ消費電流値について、前記第１の対応関係における対応する目標充電電流値は、前記第２の対応関係における対応する目標充電電流値以下である。
【００１４】
１つの実施例において、前記充電管理装置は、スクリーンが動作状態にあるか否かを検出するように構成される検出モジュールをさらに含み、前記第１の調整サブモジュールは、前記検出モジュールにより、前記スクリーンが動作状態にあると検出された場合、現在ユーザにより使用されている状態にあると特定し、前記消費電流値に基づいて第１の対応関係を照会することにより、前記消費電流値に対応する前記目標充電電流値を取得し、前記第２の調整サブモジュールは、前記検出モジュールにより、前記スクリーンがオフ状態にあると検出された場合、現在ユーザにより使用されていない状態にあると特定し、前記消費電流値に基づいて第２の対応関係を照会することにより、前記消費電流値に対応する前記目標充電電流値を取得する。
【００１５】
１つの実施例において、前記算出モジュールは、同一のサンプリング時点にサンプリングした前記目標充電電流値と前記実際充電電流値の差を算出するように構成される差算出サブモジュールと、少なくとも１つのサンプリング時点を含む予め設定された時間区間内の少なくとも１つの前記差の平均値を算出し、当該平均値を前記消費電流値とするように構成される平均値算出サブモジュールと、を含む。
【００１６】
本発明の実施例の第３の態様によると、充電管理装置を提供し、当該装置は、プロセッサと、前記プロセッサにより実行可能な命令を記憶するためのメモリと、を含み、前記プロセッサは、充電中に、現在の充電のために設定された希望充電電流値である目標充電電流値と、実際充電電流値を取得し、前記目標充電電流値と前記実際充電電流値に基づいて消費電流値を算出し、前記消費電流値の大きさに基づいて、前記目標充電電流値を調整するように構成される。
本発明の実施例の第４の態様によると、プログラムを提供し、当該プログラムは、プロセッサに実行されることにより、上記充電管理方法を実現する。
本発明の実施例の第５の態様によると、記録媒体を提供し、当該記録媒体には、上記プログラムが記録されている。
【発明の効果】
【００１７】
本発明の実施例による技術案は、以下の有益な効果を有することができる。
【００１８】
充電中に目標充電電流値と実際充電電流値を取得し、当該目標充電電流値と当該実際充電電流値に基づいて消費電流値を算出し、当該消費電流値の大きさに基づいて当該目標充電電流値を調整することにより、移動端末が充電中に多くの熱を発するという問題を解決し、消費電流値の大きさに応じて動的に目標充電電流値を調整して、移動端末の発熱量も消費電流値の大きさに応じて変化させるという効果を達成する。
【００１９】
以上の一般的な記述と、以下の詳細の記述は、ただ例示的なものであって、本発明を限定するものではないことを理解すべきである。
【図面の簡単な説明】
【００２０】
ここの図面は、明細書に組み入れて本明細書の一部分を構成し、本発明に該当する実施例を例示するとともに、明細書とともに本発明の原理を解釈するために用いられる。
【００２１】
【図１】図１は、一つの例示的な実施例にかかる充電管理方法のフローチャートである。
【図２】図２は、別の例示的な実施例にかかる充電管理方法のフローチャートである。
【図３】図３は、別の例示的な実施例にかかる充電管理方法のフローチャートである。
【図４】図４は、一つの例示的な実施例にかかる充電管理装置のブロック図である。
【図５】図５は、別の例示的な実施例にかかる充電管理装置のブロック図である。
【図６】図６は、一つの例示的な実施例にかかる充電管理装置のブロック図である。
【００２２】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００２３】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施形態は、本発明に一致する全ての実施形態を代表するわけではない。かえって、それらは、添付される特許請求の範囲で詳細に記載される本発明の一部の態様に一致する装置、及び方法の例に過ぎない。
【００２４】
本発明の実施例における移動端末は、充電電池で電源を供給する電子設備であり、例えば、携帯電話、タブレットパソコン、電子書籍リーダ、ＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ３）プレイヤ、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ４）プレイヤ、ポータブルラップトップコンピュータなどである。
【００２５】
図１は、一つの例示的な実施例にかかる充電管理方法のフローチャートである。本実施例は、当該充電管理方法が移動端末に応用されることを例として説明する。当該充電管理方法は、以下のステップを含む。
【００２６】
ステップ１０１において、充電中に、現在の充電のために設定された希望充電電流値である目標充電電流値と実際充電電流値を取得する。
【００２７】
目標充電電流値は、移動端末が現在の充電のために設定した希望充電電流値であり、Ｉ目標と記する。
【００２８】
実際充電電流値は、充電電池側で測定した電流値であり、Ｉ実際と記する。実際充電電流値は、通常、目標充電電流値より小さい。
【００２９】
ステップ１０２において、目標充電電流値と実際充電電流値に基づいて消費電流値を算出する。
【００３０】
好ましくは、消費電流値Ｉ消費＝目標充電電流値Ｉ目標−実際充電電流値Ｉ実際である。消費電流値Ｉ消費は、主に第１のチップ源により消費された電流である。即ち、ＣＰＵ、ＧＰＵ、メモリにより消費された電流である。
【００３１】
消費電流値Ｉ消費が小さいほど、移動端末の現在の負荷が小さいことを表し、ユーザが移動端末を使用していない可能性がある。
【００３２】
消費電流値Ｉ消費が大きいほど、移動端末の現在の負荷が大きいことを表し、ユーザが移動端末を使用している可能性がある。
【００３３】
ステップ１０３において、消費電流値の大きさに基づいて目標充電電流値を調整する。
【００３４】
消費電流値の大きさは、調整後の目標充電電流値とマイナスの相関関係にある。即ち、消費電流値Ｉ消費が比較的に小さい場合、ユーザが移動端末を使用していない可能性があるため、比較的に大きい目標充電電流値Ｉ目標で充電速度を保証することができる。
【００３５】
消費電流値Ｉ消費が比較的に大きい場合、ユーザが移動端末を使用している可能性があるため、比較的に小さい目標充電電流値Ｉ目標で発熱量を減少させることができる。
【００３６】
以上をまとめると、本実施例にかかる充電管理方法によると、充電中に目標充電電流値と実際充電電流値を取得し、当該目標充電電流値と当該実際充電電流値に基づいて消費電流値を算出し、当該消費電流値の大きさに基づいて当該目標充電電流値を調整することにより、移動端末が充電中に多くの熱を発するという問題を解決し、消費電流値の大きさに応じて動的に目標充電電流値を調整して、移動端末の発熱量も消費電流値の大きさに応じて変化させるという効果を達成する。
【００３７】
図２は、別の例示的な実施例にかかる充電管理方法のフローチャートである。本実施例は、当該充電管理方法が移動端末に応用されることを例として説明する。当該充電管理方法は、以下のステップを含む。
【００３８】
ステップ２０１において、充電中に、現在の充電のために設定された希望充電電流値である目標充電電流値と実際充電電流値を取得する。
【００３９】
充電中に、移動端末は、予め設定されたサンプリング間隔おきに目標充電電流値Ｉ目標と実際充電電流値Ｉ実際をサンプリングする。目標充電電流値は、移動端末が現在の充電のために設定した希望充電電流値である。実際充電電流値は、移動端末が充電電池側で測定した電流値である。
【００４０】
例えば、移動端末は、３０秒おきに目標充電電流値Ｉ目標と実際充電電流値Ｉ実際をサンプリングする。
【００４１】
表１は、サンプリング結果を例示的に示す。
【表１】
2017509308.tif 000014
【００４２】
ステップ２０２において、同一のサンプリング時点にサンプリングした目標充電電流値と実際充電電流値の差を算出する。
【００４３】
移動端末は、同一のサンプリング時点にサンプリングした目標充電電流値と実際充電電流値の差を算出する。
【００４４】
表２は、当該算出過程を例示的に示す。
【表２】
2017509308.tif 000015
【００４５】
ステップ２０３において、少なくとも１つのサンプリング時点を含む予め設定された時間区間内の少なくとも１つの差の平均値を算出し、当該平均値を消費電流値とする。
【００４６】
当該予め設定された時間区間は、予め設定された時間間隔おきに設定された時間区間である。
【００４７】
例えば、２分を予め設定された時間間隔として一つ一つの連続した予め設定された時間区間を設定する。各予め設定された時間区間には、４つのサンプリング時点が含まれる。
【００４８】
各予め設定された時間区間について、移動端末は、予め設定された時間区間内の少なくとも１つの差の平均値を算出し、当該平均値を消費電流値とする。例えば、移動端末は、電流値１３、電流値２３、電流値３３、電流値４３の平均値を算出し、当該平均値を消費電流値Ｉ消費とする。
【００４９】
ステップ２０４において、当該消費電流値に基づいて、予め設定された対応関係を照会することにより、消費電流値に対応する目標充電電流値を取得する。
【００５０】
当該対応関係は、少なくとも一つの消費電流値区間と各消費電流値区間に対応する目標充電電流値を含む。当該対応関係において、消費電流値区間と目標充電電流値はマイナスの相関関係にある。
【００５１】
表３は、当該対応関係を例示的に示す。ここで、第１の閾値は、第２の閾値より小さく、第２の閾値は、第３の閾値より小さく、第３の閾値は、第４の閾値より小さい。
【表３】
2017509308.tif 000016
【００５２】
例えば、消費電流値が第１の閾値より小さい場合、移動端末は、目標充電電流値を最大充電電流値に調整し、調整後の目標充電電流値に基づいて引き続き充電する。
【００５３】
例えば、消費電流値が第３の閾値より大きく第４の閾値より小さい場合、移動端末は、目標充電電流値を最大充電電流値＊７０％に調整し、調整後の目標充電電流値に基づいて引き続き充電する。
【００５４】
以上をまとめると、本実施例にかかる充電管理方法によると、充電中に目標充電電流値と実際充電電流値を取得し、当該目標充電電流値と当該実際充電電流値に基づいて消費電流値を算出し、当該消費電流値の大きさに基づいて当該目標充電電流値を調整することにより、移動端末が充電中に多くの熱を発するという問題を解決し、消費電流値の大きさに応じて動的に目標充電電流値を調整して、移動端末の発熱量も消費電流値の大きさに応じて変化させるという効果を達成する。
【００５５】
図３は、別の例示的な実施例にかかる充電管理方法のフローチャートである。本実施例は、当該充電管理方法が移動端末に応用されることを例として説明する。当該充電管理方法は、以下のステップを含む。
【００５６】
ステップ３０１において、充電中に、現在の充電のために設定された希望充電電流値である目標充電電流値と実際充電電流値を取得する。
【００５７】
充電中に、移動端末は、予め設定されたサンプリング間隔おきに目標充電電流値Ｉ目標と実際充電電流値Ｉ実際をサンプリングする。目標充電電流値は、移動端末が現在の充電のために設定した希望充電電流値である。実際充電電流値は、移動端末が充電電池側で測定した電流値である。
【００５８】
例えば、移動端末は、３０秒おきに目標充電電流値Ｉ目標と実際充電電流値Ｉ実際をサンプリングする。
【００５９】
ステップ３０２において、同一のサンプリング時点にサンプリングした目標充電電流値と実際充電電流値の差を算出する。
【００６０】
移動端末は、同一のサンプリング時点にサンプリングした目標充電電流値Ｉ目標と実際充電電流値Ｉ実際の差を算出する。
【００６１】
ステップ３０３において、少なくとも１つのサンプリング時点を含む予め設定された時間区間内の少なくとも１つの差の平均値を算出し、当該平均値を消費電流値とする。
【００６２】
当該予め設定された時間区間は、予め設定された時間間隔おきに設定された時間区間である。
【００６３】
例えば、２分を予め設定された時間間隔として一つ一つの連続した予め設定された時間区間を設定する。各予め設定された時間区間には、４つのサンプリング時点が含まれる。
【００６４】
各予め設定された時間区間について、移動端末は、予め設定された時間区間内の少なくとも１つの差の平均値を算出し、当該平均値を消費電流値Ｉ消費とする。
【００６５】
ステップ３０４において、スクリーンが動作状態にあるか否かを検出する。
【００６６】
移動端末は、スクリーンが動作状態にあるか否かを検出することにより、移動端末が現在ユーザにより使用されている状態にあるか否かを判断することもできる。
【００６７】
スクリーンが動作状態にある場合、ステップ３０５に進み、スクリーンがオフ状態にある場合、ステップ３０６に進む。
【００６８】
また、移動端末には、第１の対応関係と第２の対応関係の２つの対応関係が予め格納される。各対応関係は、いずれも少なくとも一つの消費電流値区間と各消費電流値区間に対応する目標充電電流値を含む。
【００６９】
ユーザにより使用されている状態にある場合、移動端末は、第１の対応関係を用いて目標充電電流値を特定して、発熱量と充電速度を両立する。ユーザにより使用されていない状態にある場合、移動端末は、第２の対応関係を用いて目標充電電流値を特定して、充電速度を優先的に保証する。従って、同じ消費電流値について、第１の対応関係における対応する目標充電電流値は、第２の対応関係における対応する目標充電電流値以下である。
【００７０】
ステップ３０５において、スクリーンが動作状態にある場合、現在ユーザにより使用されている状態にあると特定し、消費電流値に基づいて第１の対応関係を照会することにより、消費電流値に対応する目標充電電流値を取得する。
【００７１】
表４は、当該第１の対応関係を例示的に示す。当該第１の対応関係における消費電流値区間と目標充電電流値は、マイナスの相関関係にある。
【表４】
2017509308.tif 000017
【００７２】
例えば、消費電流値が５００ｍＡである場合、移動端末は、目標充電電流値を最大充電電流値＊８０％に調整する。
【００７３】
ステップ３０６において、スクリーンがオフ状態にある場合、現在ユーザにより使用されていない状態にあると特定し、消費電流値に基づいて第２の対応関係を照会することにより、消費電流値に対応する目標充電電流値を取得する。
【００７４】
表５は、当該第２の対応関係を例示的に示す。当該第２の対応関係における消費電流値区間と目標充電電流値は、マイナスの相関関係にある。
【表５】
2017509308.tif 000018
【００７５】
例えば、消費電流値が１１００ｍＡである場合、移動端末は、目標充電電流値を最大充電電流値＊９０％に調整する。
【００７６】
ステップ３０７において、調整後の目標充電電流値に基づいて引き続き充電する。
【００７７】
以上をまとめると、本実施例にかかる充電管理方法によると、充電中に目標充電電流値と実際充電電流値を取得し、当該目標充電電流値と当該実際充電電流値に基づいて消費電流値を算出し、当該消費電流値の大きさに基づいて当該目標充電電流値を調整することにより、移動端末が充電中に多くの熱を発するという問題を解決し、消費電流値の大きさに応じて動的に目標充電電流値を調整して、移動端末の発熱量も消費電流値の大きさに応じて変化させるという効果を達成する。
【００７８】
本実施例にかかる充電管理方法によると、移動端末がユーザにより使用されている状態にある場合、第１の対応関係に基づいて目標充電電流値を特定することにより、発熱量と充電速度を両立する。
【００７９】
本実施例にかかる充電管理方法によると、移動端末がユーザにより使用されていない状態にある場合、第２の対応関係に基づいて目標充電電流値を特定することにより、充電速度を優先的に保証する。
【００８０】
以下は、本発明の装置の実施例であり、本発明の方法の実施例を実行できる。本発明の装置の実施例で開示されない詳細は、本発明の方法の実施例を参照されたい。
【００８１】
図４は、一つの例示的な実施例にかかる充電管理装置のブロック図である。当該充電管理装置は、ソフトウェア、ハードウェア、又は両者の組み合わせにより、移動端末の一部又は全部を実現することができる。当該充電管理装置は、充電中に、現在の充電のために設定された希望充電電流値である目標充電電流値と、実際充電電流値を取得するように構成される取得モジュール４２０と、当該目標充電電流値と当該実際充電電流値に基づいて消費電流値を算出するように構成される算出モジュール４４０と、当該消費電流値の大きさに基づいて、当該目標充電電流値を調整するように構成される調整モジュール４６０とを含む。
【００８２】
以上をまとめると、本実施例にかかる充電管理装置によると、充電中に目標充電電流値と実際充電電流値を取得し、当該目標充電電流値と当該実際充電電流値に基づいて消費電流値を算出し、当該消費電流値の大きさに基づいて当該目標充電電流値を調整することにより、移動端末が充電中に多くの熱を発するという問題を解決し、消費電流値の大きさに応じて動的に目標充電電流値を調整して、移動端末の発熱量も消費電流値の大きさに応じて変化させるという効果を達成する。
【００８３】
図５は、一つの例示的な実施例にかかる充電管理装置のブロック図である。当該充電管理装置は、ソフトウェア、ハードウェア、又は両者の組み合わせにより、移動端末の一部又は全部を実現することができる。当該充電管理装置は、充電中に、現在の充電のために設定された希望充電電流値である目標充電電流値と、実際充電電流値を取得するように構成される取得モジュール４２０と、当該目標充電電流値と当該実際充電電流値に基づいて消費電流値を算出するように構成される算出モジュール４４０と、当該消費電流値の大きさに基づいて、当該目標充電電流値を調整するように構成される調整モジュール４６０とを含む。
【００８４】
また、当該調整モジュール４６０は、当該消費電流値に基づいて、少なくとも一つの消費電流値区間と各当該消費電流値区間に対応する目標充電電流値を含む予め設定された対応関係を照会することにより、当該消費電流値に対応する当該目標充電電流値を取得する。また、当該調整モジュール４６０は、ユーザにより使用されている状態にある場合、当該消費電流値に基づいて、少なくとも一つの消費電流値区間と各当該消費電流値区間に対応する目標充電電流値を含む第１の対応関係を照会することにより、当該消費電流値に対応する当該目標充電電流値を取得するように構成される第１の調整サブモジュール４６２と、ユーザにより使用されていない状態にある場合、当該消費電流値に基づいて、少なくとも一つの消費電流値区間と各当該消費電流値区間に対応する目標充電電流値を含む第２の対応関係を照会することにより、当該消費電流値に対応する当該目標充電電流値を取得するように構成される第２の調整サブモジュール４６４とを含む。
【００８５】
ここで、同じ消費電流値について、当該第１の対応関係における対応する目標充電電流値は、当該第２の対応関係における対応する目標充電電流値以下である。また、当該充電管理装置は、スクリーンが動作状態にあるか否かを検出するように構成される検出モジュール４５０をさらに含む。当該第１の調整サブモジュール４６２は、当該検出モジュールにより、当該スクリーンが動作状態にあると検出された場合、現在ユーザにより使用されている状態にあると特定し、当該消費電流値に基づいて第１の対応関係を照会することにより、当該消費電流値に対応する当該目標充電電流値を取得するように構成される。当該第２の調整サブモジュール４６４は、当該検出モジュールにより、当該スクリーンがオフ状態にあると検出された場合、現在ユーザにより使用されていない状態にあると特定し、当該消費電流値に基づいて第２の対応関係を照会することにより、当該消費電流値に対応する当該目標充電電流値を取得する。
【００８６】
また、当該算出モジュール４４０は、同一のサンプリング時点にサンプリングした当該目標充電電流値と当該実際充電電流値の差を算出するように構成される差算出サブモジュール４４２と、少なくとも１つのサンプリング時点を含む予め設定された時間区間内の少なくとも１つの当該差の平均値を算出し、当該平均値を当該消費電流値とするように構成される平均値算出サブモジュール４４４とを含む。
【００８７】
以上をまとめると、本実施例にかかる充電管理装置によると、充電中に目標充電電流値と実際充電電流値を取得し、当該目標充電電流値と当該実際充電電流値に基づいて消費電流値を算出し、当該消費電流値の大きさに基づいて当該目標充電電流値を調整することにより、移動端末が充電中に多くの熱を発するという問題を解決し、消費電流値の大きさに応じて動的に目標充電電流値を調整して、移動端末の発熱量も消費電流値の大きさに応じて変化させるという効果を達成する。
【００８８】
本実施例にかかる充電管理装置によると、移動端末がユーザにより使用されている状態にある場合、第１の対応関係に基づいて目標充電電流値を特定することにより、発熱量と充電速度を両立する。
【００８９】
本実施例にかかる充電管理装置によると、移動端末がユーザにより使用されていない状態にある場合、第２の対応関係に基づいて目標充電電流値を特定することにより、充電速度を優先的に保証する。
【００９０】
上記実施例における装置について、その各モジュールが操作を実行する具体的な方式は、当該方法に係る実施例において詳しく説明されたので、ここで詳しい説明を省略する。
【００９１】
図６は、一つの例示的な実施例にかかる充電管理装置６００のブロック図である。例えば、装置６００は、携帯電話、コンピュータ、デジタル放送端末、メッセージ送受信装置、ゲームコンソール、タブレット装置、医療設備、フィットネス装置、ＰＤＡなどである。
【００９２】
図６を参照すると、装置６００は、プロセスアセンブリ６０２、メモリ６０４、電源アセンブリ６０６、マルチメディアアセンブリ６０８、オーディオアセンブリ６１０、入出力（Ｉ／Ｏ）インタフェース６１２、センサアセンブリ６１４、及び通信アセンブリ６１６のような一つ或いは複数のアセンブリを含んでもよい。
【００９３】
プロセスアセンブリ６０２は、一般的には装置６００の全体の動作を制御するものであり、例えば、表示、電話呼び出し、データ通信、カメラ操作、及び記録操作と関連する操作を制御する。プロセスアセンブリ６０２は、一つ以上のプロセッサ６２０を含み、これらによって命令を実行することにより、上記の方法の全部、或いは一部のステップを実現するようにしてもよい。なお、プロセスアセンブリ６０２は、一つ以上のモジュールを含んでプロセスアセンブリ６０２と他のアセンブリの間のインタラクションを容易にしてもよい。例えば、プロセスアセンブリ６０２は、マルチメディアモジュールを含んでマルチメディアアセンブリ６０８とプロセスアセンブリ６０２の間のインタラクションを容易にしてもよい。
【００９４】
メモリ６０４は、各種類のデータを記憶することにより装置６００の動作を支援するように構成される。これらのデータの例は、装置６００において操作されるいずれのアプリケーションプログラム又は方法の命令、連絡対象データ、電話帳データ、メッセージ、画像、ビデオ等を含む。メモリ６０４は、いずれかの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクである。
【００９５】
電源アセンブリ６０６は、装置６００の各アセンブリに電力を供給する。電源アセンブリ６０６は、電源管理システム、一つ或いは複数の電源、及び装置６００のための電力の生成、管理、及び割り当てに関連する他のアセンブリを含んでもよい。
【００９６】
マルチメディアアセンブリ６０８は、上記装置６００とユーザの間に一つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、一つ以上のタッチセンサを含み、タッチ、スライド、及びタッチパネル上のジェスチャを検出することができる。上記タッチセンサは、タッチ、或いはスライド動作の境界だけでなく、上記タッチ、或いはスライド操作に係る継続時間、及び圧力も検出できる。部分実施例において、マルチメディアアセンブリ６０８は、一つのフロントカメラ、及び／又はリアカメラを含む。装置６００が、例えば撮影モード、或いはビデオモード等の操作モードにある場合、フロントカメラ、及び／又はリアカメラは外部からマルチメディアデータを受信できる。フロントカメラとリアカメラのそれぞれは、一つの固定型の光レンズ系、或いは可変焦点距離と光学ズーム機能を有するものであってもよい。
【００９７】
オーディオアセンブリ６１０は、オーディオ信号を入出力するように構成される。例えば、オーディオアセンブリ６１０は、一つのマイク（ＭＩＣ）を含み、装置６００が、例えば呼出しモード、記録モード、及び音声認識モード等の操作モードにある場合、マイクは外部のオーディオ信号を受信することができる。受信されたオーディオ信号は、さらにメモリ６０４に記憶されたり、通信アセンブリ６１６を介して送信されたりする。部分実施例において、オーディオアセンブリ６１０は、オーディオ信号を出力するための一つのスピーカーをさらに含む。
【００９８】
Ｉ／Ｏインタフェース６１２は、プロセスアセンブリ６０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【００９９】
センサアセンブリ６１４は、装置６００に各方面の状態に対する評価を提供するための一つ以上のセンサを含む。例えば、センサアセンブリ６１４は、装置６００のＯＮ／ＯＦＦ状態、装置６００のディスプレイとキーパッドのようなアセンブリの相対的な位置決めを検出できる。また、センサアセンブリ６１４は、装置６００、或いは装置６００の一つのアセンブリの位置変更、ユーザと装置６００とが接触しているか否か、装置６００の方位、又は加速／減速、装置６００の温度の変化を検出できる。センサアセンブリ６１４は、何れの物理的接触がない状態にて付近の物体の存在を検出するための近接センサを含んでもよい。センサアセンブリ６１４は、撮影アプリケーションに適用するため、ＣＭＯＳ、又はＣＣＤ画像センサのような光センサを含んでもよい。部分実施例において、当該センサアセンブリ６１４は、加速度センサ、ジャイロスコープセンサ、磁気センサ、圧力センサ、及び温度センサをさらに含んでもよい。
【０１００】
通信アセンブリ６１６は、装置６００と他の機器の間に有線、又は無線形態の通信を提供する。装置６００は、例えばＷｉＦｉ、２Ｇ、３Ｇ、或いはこれらの組み合わせのような、通信規格に基づいた無線ネットワークに接続されてもよい。一つの例示的な実施例において、通信アセンブリ６１６は、放送チャンネルを介して外部の放送管理システムからの放送信号、又は放送に関連する情報を受信する。一つの例示的な実施例において、上記通信アセンブリ６１６は、近距離無線通信（ＮＦＣ）モジュールをさらに含むことにより、近距離通信をプッシュする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、及び他の技術に基づいて実現できる。
【０１０１】
例示的な実施例において、装置６００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記充電管理方法を実行する。
【０１０２】
例示的な実施例において、命令を含むコンピュータ読取り可能な非一時的な記録媒体、例えば命令を含むメモリ６０４をさらに提供し、装置６００のプロセッサ６２０により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０１０３】
コンピュータ読取り可能な非一時的な記録媒体は、記録媒体に記録されている命令が装置６００のプロセッサにより実行されると、装置６００が充電管理方法を実行できるようにする。
【０１０４】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１０５】
本発明は、上記で記述し、図面で図示した特定の構成に限定されず、その範囲を離脱しない状況で、様様な修正と変更を実現できる。本発明の範囲は、添付される特許請求の範囲のみにより限定される。
【国際調査報告】
2017509308.tif 000019
2017509308.tif 000020
2017509308.tif 000021
2017509308.tif 000022